(57)【要約】【課題】病院又は診療所で診療時に撮像された映像データの編集・加工を施し、診療を受けたユーザに対して、編集後の映像データを提供する。【解決手段】ユーザ（患者）のＰＣ（ユーザ通信端末）１０、映像データの編集が可能な映像編集提供サーバ２０、病院又は診療所によって管理されており前記病院又は診療所内における診療時に撮像された映像データの送信が可能な病院側通信端末３０が、インターネット４０を介して接続可能であり、映像編集提供サーバは、病院側通信端末から所定のユーザ通信端末を用いるユーザの診療に係る映像データを受信して編集し、編集後の映像データを当該所定のユーザ通信端末に提供するよう構成されている。特に、病院又は診療所において、３次元超音波診断装置を用いて撮像されたユーザ（妊婦）の胎児の映像データに、時事的なニュース映像などを付加して編集し、ユーザに提供することも可能である。【選択図】　　　　図１
2004145478.tif 000002
【特許請求の範囲】
【請求項１】
病院又は診療所によって管理されており前記病院又は診療所内で撮像された映像データの送信が可能な病院側通信端末と、前記映像データの編集が可能な映像編集提供サーバとが、第１のネットワークによって接続可能であり、前記映像編集提供サーバと、ユーザ通信端末とが、第２のネットワークによって接続可能である映像データ提供システムであって、
前記映像編集提供サーバが、前記病院側通信端末から前記ユーザ通信端末を用いるユーザの診療に係る映像データを受信して編集し、前記編集後の映像データを前記ユーザ通信端末に提供するよう構成されている映像データ提供システム。
【請求項２】
素材データの提供が可能な映像提供端末と前記映像編集提供サーバとが、第３のネットワークによって接続可能であり、前記映像編集提供サーバは、前記映像データの編集の際に、前記映像提供端末から供給される前記素材データを利用することが可能なよう構成されている請求項１に記載の映像データ提供システム。
【請求項３】
前記第１のネットワークが専用回線であり、前記第２及び第３のネットワークがインターネットである請求項１又は２に記載の映像データ提供システム。
【請求項４】
前記第１から第３のネットワークがいずれもインターネットである請求項１又は２に記載の映像データ提供システム。
【請求項５】
前記病院側通信端末は、前記ユーザ通信端末を識別可能とする識別情報を前記映像データに付加して前記映像編集提供サーバに送信し、前記映像編集提供サーバは、前記識別情報によって特定される前記ユーザ通信端末に対して、前記編集後の映像データを送信するよう構成されている請求項１から４のいずれか１つに記載の映像データ提供システム。
【請求項６】
前記映像編集提供サーバは、前記映像データ及び／又は前記編集後の映像データを格納するための情報格納手段を有する請求項１から５のいずれか１つに記載の映像データ提供システム。
【請求項７】
前記ユーザ通信端末から前記映像編集提供サーバに対して、前記ユーザが所有するユーザ側映像データを送信し、前記映像編集提供サーバは、前記映像データの編集の際に、前記ユーザ通信端末から受信した前記ユーザ側映像データを利用して編集を行い、前記編集後の映像データを前記ユーザ通信端末に提供するよう構成されている請求項１から６のいずれか１つに記載の映像データ提供システム。
【請求項８】
前記ユーザが妊婦であり、前記映像データが前記妊婦の胎児の状態を撮像したものである請求項１から７のいずれか１つに記載の映像データ提供システム。
【請求項９】
前記映像データが、３次元超音波診断装置により撮像されたものである請求項８に記載の映像データ提供システム。
【請求項１０】
子供が誕生した後、前記ユーザ通信端末から前記映像編集提供サーバに対して、前記誕生後の子供に係る映像データを送信し、前記映像編集提供サーバは、前記誕生後の子供に係る映像データの編集を行い、前記編集後の映像データを前記ユーザ通信端末に提供するよう構成されている請求項８又は９に記載の映像データ提供システム。
【請求項１１】
前記映像編集提供サーバが、インターネットを介して、前記映像データの受信が可能な病院又は診療所の紹介を行うよう構成されている請求項１から１０のいずれか１つに記載の映像データ提供システム。
【発明の詳細な説明】
【０００１】
【発明の属する技術分野】
本発明は、映像データの編集・加工を行い、インターネットなどを介して、編集後の映像データをユーザに提供することが可能である映像データ提供システムに関する。
【０００２】
【従来の技術】
従来、映像データの編集・加工などのサービスを行っている映像編集会社が存在する。このような映像データの編集・加工などのサービスでは、クライアントから提供された映像データの編集、素材データの合成などを行い、編集後の映像データを商品としてクライアントに提供するサービスが行われている。このようなサービスは、例えば（特許文献１）に開示されている。
【０００３】
【特許文献１】
特開２００２−１６５１７９号公報（図１、段落００１０〜００１２、００２７〜００３７）
【０００４】
一方、３次元超音波診断装置など、胎児の状態を調べて、３次元画像を撮像することが可能な装置を備える病院又は診療所や、超音波診断装置による診断（いわゆる、エコー診断）時にモニタリングされる妊婦の体内及び胎児の様子をビデオなどの記録媒体に記録してくれる病院又は診療所が存在する。こうした３次元超音波診断装置を用いて撮像された３次元画像や、エコー診断の映像などは、子供の貴重な記録（誕生前の胎児時の記録）となるものであり、こうした設備のある病院又は診療所を探して行く妊婦（母親）も存在する。
【０００５】
【発明が解決しようとする課題】
しかしながら、病院又は診療所における診療時に記録された映像データ（静止画データ及び動画データを含む）を映像編集会社で加工する映像データの編集・加工サービスは存在しない。また、現在、３次元超音波診断装置などの装置を備えている病院又は診療所は非常に少なく、妊婦（母親）が、こうした設備のある病院又は診療所を探すのには非常に時間と労力が必要とされるという問題がある。
【０００６】
上記課題に鑑み、本発明では、病院又は診療所で診療時に撮像された映像データの編集・加工を施し、診療を受けたユーザに対して、編集後の映像データを提供することが可能となり、また、ユーザが、病院又は診療所の設備の一覧などを参照し、必要に応じた設備があったり、映像データの提供サービスなどを行ったりしている病院又は診療所を探すことが可能となる映像データ提供システムを提供することを目的とする。
【０００７】
【課題を解決するための手段】
上記目的を達成するため、本発明の映像データ提供システムは、病院又は診療所によって管理されており前記病院又は診療所内で撮像された映像データの送信が可能な病院側通信端末と、映像データの編集が可能な映像編集提供サーバとが、第１のネットワークによって接続可能であり、前記映像編集提供サーバと、ユーザ通信端末とが、第２のネットワークによって接続可能である映像データ提供システムであって、
前記映像編集提供サーバが、前記病院側通信端末から前記ユーザ通信端末を用いるユーザの診療に係る映像データを受信して編集し、前記編集後の映像データを前記ユーザ通信端末に提供するよう構成されている。
この構成により、映像編集提供サーバで、病院又は診療所で診療時に撮像された映像データの編集・加工を施し、診療を受けたユーザ（患者、妊婦など）に対して、編集後の映像データを提供することが可能となる。
【０００８】
さらに、本発明では、上記発明において、素材データの提供が可能な映像提供端末と前記映像編集提供サーバとが、第３のネットワークによって接続可能であり、前記映像編集提供サーバは、前記映像データの編集の際に、前記映像提供端末から供給される前記素材データを利用することが可能なよう構成されている。この構成により、映像提供端末から提供される様々な素材データを用いて、映像データのアレンジを行うことが可能となり、ユーザに提供する映像データの商品価値を高めることが可能となる。
【０００９】
さらに、本発明では、上記発明において、前記第１のネットワークが専用回線であり、前記第２及び第３のネットワークがインターネットであるよう構成されている。
この構成により、特に、診療時に病院で撮像された機密性の高い映像データに関しては、専用回線を通じて伝送することが可能となる。
【００１０】
さらに、本発明では、上記発明において、前記第１から第３のネットワークがいずれもインターネットであるよう構成されている。
この構成により、従来から広く用いられているインフラであるインターネットを利用するだけで、本発明のネットワーク構築を行うことが可能となる。
【００１１】
さらに、本発明では、上記発明において、前記病院側通信端末は、前記ユーザ通信端末を識別可能とする識別情報を前記映像データに付加して前記映像編集提供サーバに送信し、前記映像編集提供サーバは、前記識別情報によって特定される前記ユーザ通信端末に対して、前記編集後の映像データを送信するよう構成されている。
この構成により、映像編集提供サーバは、病院側通信端末から受信した映像データが編集後に配信されるべきユーザ通信端末を確実に特定することが可能となる。
【００１２】
さらに、本発明では、上記発明において、前記映像編集提供サーバは、前記映像データ及び／又は前記編集後の映像データを格納するための情報格納手段を有するよう構成されている。
この構成により、映像編集提供サーバは、ユーザの要望に応じて、ユーザに係る映像データをすぐに読み出し、再度ユーザに提供したり、再編集したりすることが可能となる。
【００１３】
さらに、本発明では、上記発明において、前記ユーザ通信端末から前記映像編集提供サーバに対して、前記ユーザが所有するユーザ側映像データを送信し、前記映像編集提供サーバは、前記映像データの編集の際に、前記ユーザ通信端末から受信した前記ユーザ側映像データを利用して編集を行い、前記編集後の映像データを前記通信端末に提供するよう構成されている。
この構成により、映像編集提供サーバにおける映像データの編集の際、ユーザは自分が持っている映像データを利用してもらうことが可能となる。
【００１４】
さらに、本発明では、上記発明において、前記ユーザが妊婦であり、前記映像データが前記妊婦の胎児の状態を撮像したものであるよう構成されている。
この構成により、生まれる前から子供の映像を記録することが可能となり、記念となる映像データへの編集・加工を行うことが可能となる。
【００１５】
さらに、本発明では、上記発明において、前記映像データが、３次元超音波診断装置により撮像されたものであるよう構成されている。
この構成により、ユーザは、３次元超音波診断装置によって撮像された映像データを基にして編集された映像データを受けることが可能となる。
【００１６】
さらに、本発明では、上記発明において、子供が誕生した後、前記ユーザ通信端末から前記映像編集提供サーバに対して、前記誕生後の子供に係る映像データを送信し、前記映像編集提供サーバは、前記誕生後の子供に係る映像データの編集を行い、前記編集後の映像データを前記ユーザ通信端末に提供するよう構成されている。
この構成により、ユーザは、子供が生まれる前からの映像データを取得できるとともに、生まれた後の映像データも継続的に編集・加工してもらうことが可能となる。
【００１７】
さらに、本発明では、上記発明において、前記映像編集提供サーバが、インターネットを介して、前記映像データの受信が可能な病院又は診療所の紹介を行うよう構成されている。
この構成により、病院又は診療所はインターネットでの紹介の場所を得ることが可能となり、また、ユーザは、インターネットを介して、病院又は診療所の場所や設備（特に、３次元超音波診断装置の設置）など、様々な情報を得ることが可能となる。
【００１８】
【発明の実施の形態】
以下、図面を参照しながら、本発明の映像データ提供システムの好ましい実施の形態について説明する。図１は、本発明の映像データ提供システムの実施の形態を示すネットワーク構成図である。図１には、一般家庭（特に、妊婦又は子供がいる家庭）に設置されているＰＣ（Ｐｅｒｓｏｎａｌ　Ｃｏｍｐｕｔｅｒ：パーソナルコンピュータ、本明細書ではユーザ通信端末と呼ぶこともある）１０、映像編集会社に属する映像編集提供サーバ２０、病院や診療所などに設置されている病院側通信端末３０（病院又は診療所が管理し、後述の病院側映像データ格納手段に格納されている映像データを映像編集提供サーバ２０に送信する通信端末）が、それぞれインターネット４０に接続されている様子が図示されている。なお、不図示だが、映像編集会社は、インターネット４０上に情報を配信するＷｅｂサーバも有している。また、図１の映像データ提供システムでは、ＰＣ１０、映像編集提供サーバ２０、病院側通信端末３０は、全てインターネット４０に接続しているが、例えば、映像編集提供サーバ２０と病院側通信端末３０との間を専用回線などによって接続したり、映像データを伝送する際には暗号化を施したりすることが好ましい。
【００１９】
また、複数の映像提供端末５０が、映像編集提供サーバ２０に対して素材データ（映像の加工用データや、ニュースなどの時事的な事柄を示す映像データ）の提供が可能なよう接続されている。なお、映像提供端末５０は、映像編集提供サーバ２０に対してインターネット４０経由で映像データを提供することも可能である。なお、病院や診療所は、妊婦の体内にいる胎児の状態を撮像することができる超音波診断装置や３Ｄ診断装置など備えていたり、出産時の映像を撮像したりすることが可能な施設である。
【００２０】
映像編集提供サーバ２０は、病院側通信端末３０や映像提供端末５０から提供される映像データや、ＰＣ１０が設置されている一般家庭のユーザに係る個人データなどを格納する情報格納手段２１と、映像の合成や編集機能を有する映像編集手段２２とを有している。また、病院や診療所などに設置される病院側通信端末３０には、病院内で撮像された映像データ（主に、診療時に撮像された映像データ）を格納する病院側映像データ格納手段３１を有している。
【００２１】
次に、図１に示す映像データ提供システムを利用した映像データの配信に係る契約について説明する。なお、以下に説明する契約関係は、図１においても図示されている。まず、病院や診療所（病院側）と、映像編集会社との間で相互に契約が交わされる。この契約では、病院側が、通院している妊婦の胎児の映像データや出産時の映像データなどの提供を行う一方、映像編集会社（又は、インターネット４０のポータルサイトを運用している会社）が、インターネット４０のユーザに対して、その病院や診療所の紹介（特に、本発明に係る映像データの提供サービスが可能であることを説明として加えた紹介）を行うという取り決めが交わされる。この契約によって、インターネット４０上で、その病院や診療所の紹介が行われ、ユーザは、インターネット４０を介して、例えば、その病院が３Ｄ診断装置を備えていることや、本発明に係る映像データの提供サービスが行われていることなどを知ることが可能となる。
【００２２】
次に、ユーザ（妊婦又は母親など）は、ＰＣ１０などを用いて、映像編集会社のＷｅｂサーバから提供される病院や診療所に係る情報を参照し、病院や診療所の選択を行うとともに、病院映像編集会社との契約（映像編集会社への登録）を行う。この契約では、ユーザが、胎児の映像データや出産時の映像データなどから編集・作成された映像データの提供サービスを受けるための登録が行われる。また、ユーザは、映像編集会社のＷｅｂサーバから提供される情報を参照して選択した病院や診療所（すなわち、映像編集会社から紹介された病院や診療所）での診療を受け、病院や診療所において、映像編集会社が運用している映像データの提供サービスに登録しており、映像編集会社に自分の映像データの提供を行ってほしい旨を伝える。なお、病院側から映像編集会社に個人情報が流用されることとなるので、ユーザと病院側の間においても、所定の契約が必要となる。
【００２３】
上記の契約（病院側−映像編集会社間の契約、映像編集会社−ユーザ間の契約、病院側−ユーザ間の契約）が完了した場合、ユーザは、インターネット４０を介して、映像編集提供サーバ２０から病院側で撮像された映像データの配信を受けることが可能となる。以下、図１に示す映像データ提供システムにおける映像データの流れについて説明する。
【００２４】
図２は、本発明の映像データ提供システムにおける処理及びデータの流れを示すシーケンスチャートである。なお、図２では、右から左に、ＰＣ（ユーザ通信端末）１０、映像編集提供サーバ２０、映像提供端末５０、病院側通信端末３０における各処理が示されており、また、上から下に時間の流れが示されている。
【００２５】
まず、病院側通信端末３０は、映像編集提供サーバ２０に対して、診療時に撮像された所定の患者（ユーザ）の映像データ（病院側映像データ格納手段３１に格納されている映像データ）を送信し（ステップＳ１０１：診療時の映像データの送信）、映像編集提供サーバ２０は、病院側通信端末３０からの映像データを受信する（ステップＳ１０３：診療時の映像データの受信）。なお、この映像データには、例えば、３次元超音波診断装置で撮像された胎児の映像データ、エコー診断で撮像された胎児の映像データ、出産時の様子を撮像した映像データのほか、診断や手術時の様子を撮像した映像データ、レントゲン画像データなど、病院又は診療所で撮像された様々な映像データが含まれる。また、映像データには、ユーザを識別可能とする識別情報が付加されることが好ましく、この識別情報によって、確実にユーザを特定することが可能となる。
【００２６】
一方、ユーザが、最終的に作成される映像データ（編集後の映像データ）内に自分の持っている映像データ（ユーザ側映像データ）を入れたい場合には、ＰＣ１０は、映像編集提供サーバ２０に対して、当該ユーザ映像データを送信し（ステップＳ１０５：ユーザ側映像データの送信）、映像編集提供サーバ２０は、ＰＣ１０からのユーザ側映像データを受信する（ステップＳ１０７：ユーザ側映像データの受信）。
【００２７】
また、さらに、編集後の映像データに、演出効果を目的とする映像データやその時期に世の中で起こっている様々な出来事、ニュースなどの映像データ（これらをまとめて、素材データと呼ぶ）、音楽データなどを挿入する場合には、映像提供端末５０から映像編集提供サーバ２０に対して、当該素材データを送信し（ステップＳ１０９：素材データの送信）、映像編集提供サーバ２０は、映像提供端末５０からの素材データを受信する（ステップＳ１１１：素材データの受信）。
【００２８】
そして、映像編集提供サーバ２０は、病院側通信端末３０から受信した映像データ、ユーザ側映像データ、素材データを編集・加工して、ユーザに提供すべき商品としての映像データを作成する（ステップＳ１１３：映像データの編集・加工）。このようにして作成された編集後の映像データは、映像編集提供サーバ２０からＰＣ１０に対して送信され（ステップＳ１１５：編集後の映像データの送信）、ＰＣ１０は、映像編集提供サーバ２０からの編集後の映像データを受信する（ステップＳ１１７：編集後の映像データの受信）。
【００２９】
以上のように、映像編集提供サーバ２０は、病院又は診療所で撮像された映像データを編集し、編集後の映像データをユーザのＰＣ１０に提供することが可能となる。また、その当時にユーザによって撮像されたユーザ側映像データや、時事的な事柄が判るニュース映像などの素材データを加えて、病院又は診療所で撮像された映像データの編集を行うことによって、ユーザの妊娠、出産、手術などの個人的な記録と共に身近に又は世の中で起こった出来事を記録することが可能となったり、ある人間の誕生の日時から身近な又は世の中で起こった出来事を記録することが可能となったりし、最終的に作成される編集後の映像データが個人的記録と社会的な記録とを含むものにすることが可能となる。
【００３０】
また、例えば、病院又は診療所で撮像された３次元超音波診断装置による胎児の映像データの提供を受けたユーザ（妊婦）が子供を出産した後も、子供を撮像した映像データをユーザ側映像データとして映像編集提供サーバ２０に送信することにより、映像編集提供サーバ２０から子供の成長の記録などを継続的に映像データとして提供してもらうことが可能となる。
【００３１】
次に、本発明の映像データ提供システムにおける金銭の流れの一例について説明する。まず、病院側−映像編集会社間の契約において、病院又は診療所から映像編集会社に対して、所定の金銭が支払われ、その見返りに病院又は診療所は映像編集会社のＷｅｂサーバからインターネット４０上に、病院又は診療所に係る情報を配信してもらうことが可能となる。その結果、ユーザが、インターネット４０上で当該病院又は診療所の情報を閲覧して、診療を受ける機会が増加する。また、映像編集会社−ユーザ間の契約において、映像編集会社は映像データの編集を行い、編集後の映像データを商品としてユーザに提供する代わりに、ユーザから対価を受け取る。以上説明したように、それぞれにおいて、下記にまとめたメリットが存在する。
【００３２】
・ユーザは、自分が必要とする設備の整った病院又は診療所を簡単に探し出すことができると同時に、病院又は診療所で撮像された映像データに素材データなどが付加されて編集された映像データを購入することが可能となる。
・病院又は診療所は、インターネット４０を介して、自施設の設備の紹介が可能となり、病院又は診療所に診療に訪れるユーザ数が増加する。
・映像編集会社は、インターネット４０上における病院又は診療所の紹介料、及び、編集後の映像データの対価を受ける。
【００３３】
【発明の効果】
以上、説明したように、本発明によれば、映像データの編集が可能な映像編集提供サーバが、病院又は診療所によって管理されており前記病院又は診療所内で撮像された映像データの送信が可能な病院側通信端末から所定の通信端末のユーザの診療に係る映像データを受信して編集し、編集後の映像データを当該所定の通信端末に提供するよう構成されているので、映像編集提供サーバで、病院又は診療所で診療時に撮像された映像データの編集・加工を施し、診療を受けたユーザ（患者、妊婦など）に対して、編集後の映像データを提供することが可能となる。
【図面の簡単な説明】
【図１】本発明の映像データ提供システムの実施の形態を示すネットワーク構成図
【図２】本発明の映像データ提供システムにおける処理及びデータの流れを示すシーケンスチャート
【符号の説明】
１０　ＰＣ（ユーザ通信端末）
２０　映像編集提供サーバ
２１　情報格納手段
２２　映像編集手段
３０　病院側通信端末
３１　病院側映像データ格納手段
４０　インターネット
５０　映像提供端末
【図１】
2004145478.tif 000003
【図２】
2004145478.tif 000004